(57)【要約】 【課題】  上下左右方向へ配列される各納骨室に重苦しい伸し掛かられ感がなく、開放された自由感のある御霊の祭祀を実現し得ると共に、開いた扉が隣り合う扉の開閉を妨げず、且つ扉の前庭を照らすことで、荘厳な外観を実現する納骨壇を提供する。【解決手段】  複数の納骨室を備える前面開口の壇本体と、この壇本体の開口面を開閉可能に閉じるパネル板とからなり、パネル板の面内には各納骨室に対応し且つ納骨室の開口面より小径の扉を複数配備すると共に、各扉は各納骨室の開口面の仮想中心に対し偏心して配置したことを特徴とする納骨壇。【選択図】          図１
2013112931.tif 000002
【特許請求の範囲】
【請求項１】
複数の納骨室を備える前面開口の壇本体と、この壇本体の開口面を開閉可能に閉じるパネル板とからなり、パネル板の面内には各納骨室に対応し、且つ納骨室の開口面より小径の扉を複数配備すると共に、各扉は各納骨室の開口面の仮想中心に対し偏心して配置したことを特徴とする納骨壇。
【請求項２】
前記上下に隣り合う各扉は、それぞれ左右反対方向へ位置ずれさせたものであることを特徴とする請求項１記載の納骨壇。
【請求項３】
前記上下に隣り合う各扉は、同一方向への位置ずれの程度を変化させたことを特徴とする請求項１記載の納骨壇。
【請求項４】
前記左右に隣合う各扉は、それぞれ上下反対方向へ位置ずれさせたものであることを特徴とする請求項１記載の納骨壇。
【請求項５】
前記左右に隣り合う各扉は、同一方向への位置ずれの程度を変化させたことを特徴とする請求項１記載の納骨壇。
【請求項６】
前記扉は、角筒部と、角筒部の奥寄りに備えた開き戸とからなり、角筒部には開き戸の前を照らす照明灯を配備したことを特徴とする請求項１、２、３、４又は５記載の納骨壇。
【発明の詳細な説明】
【技術分野】
【０００１】
この発明は、納骨壇に関する。
【背景技術】
【０００２】
図６は、従来の納骨壇を示す斜視図である。この納骨壇Ａは、仕切り板を介して縦横方向へ並ぶ多数の納骨室５２を備えた箱状の壇本体５１を、上下に４段重ねて構成している。各納骨室５２の開口面には扉５３が配備され、この扉５３には開閉用取っ手５４と俗名を記した名札５５が取付けてある。
【０００３】
納骨壇は、寺院の屋内に荘重に祭祀される。納骨室には、骨壷や仏具、位牌等が収められ、納骨壇の管理者である御寺による永代供養が行われる。また、故人を偲ぶ身寄りが、忌日などにお参りし供養する。
【特許文献１】特開平７−４１１７公報
【発明の開示】
【発明が解決しようとする課題】
【０００４】
納骨壇は、比較的近いお寺さんが管理するものを契約することで、身寄りは時節、天候を気にせず便利に参詣できる利点がある。
一方、従来の納骨壇では、直方体形状の納骨室が多数、上下左右方向へ整然と並び、且つ各納骨室の扉は配置位置及び配置形態が一律一様で、縦・横一直線上に並んでいる。
【０００５】
このため、下方に位置する納骨室や幅中央寄りに位置する納骨室は、上方や左右の納骨室に伸し掛かられ、押え付けられる感がある許かりでなく、遺骨（本尊）の真上に他家の本尊が何層にも上積みされている重くれ感は、好ましくないとして人気がなく売れない不利がある。
【０００６】
更に、隣り合う納骨室の間隔が比較的狭いため、開いた扉が隣の納骨室の扉の開閉を妨げる欠点がある。また、一様な扉が多数整然と並び、且つ扉の前側に扉を照らす照明がないため、外観に荘厳さがない許かりでなく、名札が見ずらく特定に手間取る等の不利があった。
【０００７】
この発明は、以上のような課題を解消させ、上下左右方向へ配列される各納骨
室に重苦しい伸し掛かられ感がなく、開放された自由感のある御霊の奉祀を実現
し得ると共に、開いた扉が隣り合う扉の開閉を妨げず、且つ扉の前庭を照らすこ
とで、荘厳な外観を実現する納骨壇を提供することを目的とする。
【課題を解決するための手段】
【０００８】
この目的を達成させるために、この発明の納骨壇では、次のような構成としている。
納骨壇は、複数の納骨室を備える前面開口の壇本体と、この壇本体の開口面を開閉可能に閉じるパネル板とからなり、パネル板の面内には各納骨室に対応し、且つ納骨室の開口面より小径の扉を複数配備すると共に、各扉は各納骨室の開口面の仮想中心に対し偏心して配置したことを特徴とする。
【発明の効果】
【０００９】
このような構成を有する納骨壇では、納骨室の開口面の仮想中心に対し、対応する扉を位置ずれさせて配置することとしたから、納骨室の開口面内において扉を左右方向或いは上下方向へ位置ずれさせると、各扉の並びが縦方向にも横方向にも不揃いとなり、連続性がなく独立した自由な佇まい感を与える。
【００１０】
従って、従来のように多数一様な扉が一直線上に連続して並ぶ納骨室が、上方や左右から伸し掛かられ、押え付けられる感が生じるのを解消できる。つまり、重苦しい鎮圧感がなく開放された自由感のある御霊の奉祀を実現し得る。
【００１１】
また、この扉は角筒部の奥まった位置に開き戸を設けてなる。従って、開き戸
は筒部側壁に接面してそれ以上の拡開が阻止されるから、隣合う扉の開閉を妨げ
ない。
【００１２】
更に、扉の角筒部に扉前庭を照らす照明灯を配備することとしたから、パネル
板より奥まった位置にある開き戸及び前庭が照らされ、納骨室の位置特定が容易
となる許かりでなく、祭祀に相応しい荘厳な雰囲気を醸し出すことができる等、
発明目的を達成した優れた効果を有する。
【発明を実施するための最良の形態】
【００１３】
以下、図面に基づき本発明に係る納骨壇の具体的な実施の形態を説明する。
図１は、納骨壇Ａを示す分離斜視図である。
納骨壇Ａは、壇本体１とパネル板２と扉３から成る。実施の形態では、壇本体１、パネル板２及び扉３は、金属材などの不燃材、例えば耐食スチール（ペンタイト鋼板）或いは耐食アルミニウム合金押し出し材等で成形される。
【００１４】
上記壇本体１は、正面１２を開口した直方体の箱状で、内部に仕切板１１ａで区分した複数の納骨室１１を設けている。この実施の形態では、上下方向へ３つの納骨室１１を設けた壇本体１を示している。後述するように、壇本体１の大きさ（高さ）や、壇本体１内の納骨室１１の数は、任意に設定される。
【００１５】
この壇本体１の正面１２の開口には、後述するパネル板２が装脱可能に配備される。壇本体１には、天板１６及び基板（台板）１７の前端面に、それぞれ上向き略Ｌ字状の係合受け部１３、１３を設けている。一方、パネル板２には枠縁部２２の上端面及び下端面（上記係合受け部１３、１３対応位置）に、下向き略Ｌ字状の係合部２３、２３を設けている。
【００１６】
係合受け部１３及び係合部２３は、嵌着するとき、壇本体１の正面１２の周面（天板１６、両側面１５、１５、台板１７）の前端面と、パネル板２の枠縁部２２の周端面とがほぼ緊密に接面、つまり契合するように配備される。
【００１７】
前記パネル板２は、一定厚みを有する平板の外周にフランジ状の枠縁部２２を形成して構成される。このパネル板２の面内には、取付ける扉３に対応する窓孔２１が開設される。
【００１８】
扉３は、納骨室１１の開口面１１ｂより小径に形成される。実施の形態では、図２で示すように、前後面を開口した横長矩形の角筒部３１と、角筒部３１の筒長さ奥寄りに配備した両開き状の開き戸３２、３２が配備してある。この開き戸３２は、枢支ピン３２ａを介して角筒部３１の天板３１ｂに取付けてある。
【００１９】
更に、角筒部３１の天板３１ｂには、内面に開き戸３２、３２の後退を阻止するストッパ（マグネット板）３４を取付けると共に、図５で示すように、角筒部３１の天板３１ｂに、角筒部３１の扉前庭（筒奥に位置する開き戸３２の前側）３１ａを照らすＬＥＤなどの照明灯（光源）３５を取付けている。
【００２０】
また、上記角筒部３１の適所に止着板３３を設けている。角筒部３１と上記窓孔２１とを対応させた状態で、止着板３３をパネル板２の内面に溶接などで接面固定し、筒体状の扉３をパネル板２から内方向へ突設している。
【００２１】
図３は、各納骨室（納骨室の開口面１１ｂ）１１の仮想中心に対し、各扉３を偏心させて取付ける例を示している。図例では、骨壺（破線で示す）４の重ねが可能な高さの高い納骨室１１が３層の壇本体１Ａと、高さの低い納骨室１１が４層の壇本体１Ｂと、高さの異なる納骨室１１が３層の壇本体１Ｃを組合わせて、大型の壇本体１を構成している。
【００２２】
そして、この例のパネル板２は、この大型の壇本体１に対応した単一板に設定している。この単一のパネル板２は、寺院の屋内設置場所の雰囲気などに合わせて樹脂塗装して表面化粧処理される（図４参照）。
【００２３】
図３で示すように、各納骨室１１の各開口面１１ｂの仮想中心に対してそれぞれ対応する各扉３を位置ずれさせて配置する。たとえば、壇本体１Ａ、１Ｂ、１Ｃの納骨室１１の仮想縦中心Ｘ１、Ｘ２、Ｘ３線に対し、各扉（窓孔２１）３を納骨室１１内において左右方向へ位置ずれさせる。
【００２４】
例えば、上下に隣り合う扉３、３は、一方を右に寄せ、他方を左に寄せる等、それぞれ反対方向へ位置ずれさせる。これにより、上下方向に並ぶ各扉３は、いわゆるジグサグ状の配列となり、一律性・連続性がない分、上下の積み重なり感が薄れ、自由な配列外観を実現し得る（図４参照）。
【００２５】
更に、壇本体１Ａ、１Ｂ、１Ｃの納骨室１１の仮想横中心Ｙ１、Ｙ２、Ｙ３線に対し、各扉３を納骨室１１内において上下方向へ位置ずれさせる。例えば、左右に隣合う扉３、３を反対方向へ或いは上下位置ずれ程度を変える。これにより、左右方向に並ぶ各扉３は、横並びに一様性、連続性がなく、不規則な配列となり、左右への押圧感のない自由で独立した配列外観が得られる  （図４参照）。
【００２６】
このような構成を有する納骨壇では、寺院のお参り所の案内フロントに、名札ボード（図示せず) が配備されている。名札ボードの名札ボタンと納骨室１１の照明灯（光源）３５は、電気的に接続されている。
【００２７】
お参りする人が名札ボタンを押すと、該当する納骨室１１の照明灯３５が点灯し、筒体状の扉３の奥まった位置にある開きと３２と扉前庭３１ａが照明される。従って、お参りする人は多数の中から納骨室１１をひと目で認識し得る。
【００２８】
更に、図４及び図５で示すように、点灯する納骨室１１の前に立つと、扉（開き戸３２）３はパネル板２より奥まった位置にあり、且つその筒前庭（扉前庭）３１ａが照らされることで祭祀に相応しい荘厳な雰囲気が醸される。
【００２９】
更に、図４で示すように、縦・横方向に隣合う各納骨室の筒状扉（筒奥開き戸３２）３は、納骨室１１の仮想縦中心Ｘ、並びに仮想横中心Ｙに対し上下・左右に位置ずれしている。従って、隣り合う納骨室１１、１１間に関連性がなく、押さえつけられ感がないから、個々が別個独立した自由な雰囲気で開放された祭祀を実行できる。
【００３０】
更に、図４で示すように、撮み３２ｂをもち手前に筒奥の開き戸３２を引くと納骨室１１が開放される。開き戸３２は、角筒部３１の筒側壁３１ｃに当たって、それ以上の開きが阻止される。従って、近辺の開き戸３２の開閉を妨げない。
【図面の簡単な説明】
【００３１】
【図１】実施の形態の納骨壇を示す分離斜視図である。
【図２】実施の形態の扉を示す斜視図である。
【図３】納骨室の中心に対し扉を位置させた状態を示す説明図である。
【図４】実施の形態の納骨壇を示す斜視図である。
【図５】実施の形態の納骨壇を断面図である。
【図６】従来の納骨壇を示す斜視図である。
【符号の説明】
【００３２】
１      壇本体
２      パネル板
３      扉
４      骨壺
１１    納骨室
１３    係合受け部  
１１ａ  仕切り板
１１ｂ    開口面
２１    窓孔
２２    枠縁部  
２３    係合部
３１    角筒部
３２    開き戸
３５    照明灯
Ｘ      仮想縦中心
Ｙ      仮想横中心
【図１】
2013112931.tif 000003
【図２】
2013112931.tif 000004
【図３】
2013112931.tif 000005
【図４】
2013112931.tif 000006
【図５】
2013112931.tif 000007
【図６】
2013112931.tif 000008